(57)【要約】【課題】バッグ，リュック，ベルト等に取り付け携行可能として、アクセサリーに止まらず、遺失物への対応，迷子等への対応，緊急時の対応などに有効ならしめる。【解決手段】所要長さの細幅編織布よりなるテープ１の両端部やや内側に樹脂製ホック２の如き係合具をテープ裏面側で互いに係合し合うように設けると共に、テープ本体１裏面側に情報記入枠３を作成し、名前，住所，電話連絡先，血液型，常備薬等の個人情報を記入し得るようにした情報教示テープである。【選択図】    図１
0003106167.tif 000002
【実用新案登録請求の範囲】
【請求項１】
所要長さの細幅編織布よりなるテープ本体の両端部やや内側寄りに係合具をテープ裏面側で互いに係合し合うように設けると共に、テープ本体裏面側に情報記入枠を作成し、名前，住所，電話連絡先，血液型，常備薬等の個人情報を記入し得るようになしたことを特徴とする情報表示テープ。
【請求項２】
テープ表面側端部に十字マーク，キャラクターデザイン等の図柄を付着した請求項１記載の情報表示テープ。
【請求項３】
テープ両端内側寄りの係合具を端部より長短距離を異ならしめて配置し、係合時の余剰部分裏面側にキャラクターデザイン，十字マーク等の図柄を付着した請求項１記載の情報表示テープ。
【請求項４】
係合具がテープ本体の両端部やや内側よりに直接成形により設けた樹脂製ホックである請求項１，２または３記載の情報表示テープ。
【考案の詳細な説明】
【技術分野】
【０００１】
本考案は情報表示テープに係り、詳しくはアクセサリーとしての演出を保有しながら、物品遺失への対応、急病，事故，遭難等の緊急時の個人情報伝達，迷子の対応などの各場合に有効に機能する各種情報を表示せしめる情報表示テープに関する。
【背景技術】
【０００２】
従来、テープは一般に装飾用として各種色彩を施した細幅の編物，織物などが用いられているが、これらは装飾の目的が殆どであり、装飾以外の目的に使用する場合には夫々、各用途に応じて必要な機能に合わせた組織，構成が採用されている。
【０００３】
ところで、近時、テープスナッパーとの名称でテープに直接、樹脂ホックを成形したもの（例えば特許文献１参照）が市販され、新規な各用途への進出が試みられている。
【特許文献１】意匠登録７７８１６１号公報
【考案の開示】
【考案が解決しようとする課題】
【０００４】
本考案は上記の如き状況に呼応し、上記樹脂ホックを直接成形したテープの新しい用途を開拓することに着目し、特に近時、関心の昂まる安全性，緊急介護などに適用し得るテープの開発を見出だすことにより、アクセサリーに止まらず、遺失物への対応，迷子等への対応，急病，事故などの緊急時への対応などに有用ならしめることを目的とするものである。
【課題を解決するための手段】
【０００５】
即ち、上記の目的を達成するための本考案は、所要長さの細幅編織布よりなるテープの両端部やや内側寄りに係合具をテープ裏面側で互いに係合し合うように設けると共に、テープ本体裏面側に情報記入枠を作成し、名前，住所，電話連絡先，血液型，常備薬等の個人情報を記入し得るようになした情報表示テープの構成を特徴とする。
【０００６】
また、上記テープにおいて、テープ表面側端部に十字マーク，キャラクターデザイン等の図柄を付着することも好適である。
【０００７】
なお、特に係合具としてテープ本体両端部やや内側よりに樹脂製ホックを直接成形により設け、該ホックを互いに係合し合う構成とすることはデザイン面よりもきわめて有効である。
【０００８】
以上のようなテープによれば、該テープ裏面側の情報記入枠内に名前，住所，電話，緊急連絡先，血液型などを記入して通学バッグ，ズボンのベルトなど、身近なものにさりげなく取り付け携行することにより落し物をした時には、すぐ落とし主がわかり、また、緊急時には、記入枠内の情報により適切に対応することができ、更に、通学バッグや教材など、私物を判別する目印になり、しかもこれら個人情報を特に意識することなく携行することができる。
【考案の効果】
【０００９】
本考案情報表示テープは、裏面の枠内に名前，住所，連絡先などの個人情報を表示して、さりげないアクセサリー感覚で携行品等に取り付け使用することができ、これによって急病，事故等の緊急時の連絡、物品遺失時への対応，迷子時への対応，アクセサリーとして友達との識別など、種々の効用が達成され、テープの新たな用法として多くの実効が期待される。
【考案を実施するための最良の形態】
【００１０】
以下、更に本考案テープの具体的形態を添付図面に基づいて説明する。
【００１１】
図１は本考案に係るテープの１例を示す斜視図であり、１はテープ本体で、適宜、所要の長さを有する細幅の織物，編物，不織布によって形成されており、高級感を出すためには可及的厚地をもって形成することも好ましい。
【００１２】
素材としては擦れ等に耐える堅牢性をもったリボン等も利用可能である。
【００１３】
また、この編織物などからなるテープ本体に随時、染色を施し、各種色彩を付与することも好適である。
【００１４】
２は上記テープ本体の両端部内側寄りに設けられたホック等よりなる係合具であり、一側２ａは雄側、他側２ｂは雌側としてテープを環状に丸めたとき、互いに係合し合うようになっている。
【００１５】
勿論、ホックに限らず、布ファスナーその他の係合具でも差し支えない。
【００１６】
しかし、ホック２はテープ１に直接、合成樹脂製ホック２を成形することによって形成することができ、頗る強固で、係合時、ホック外れの懸念が殆どないことから最も実用的である。
【００１７】
このホック２の配置位置は、図１，図２においては、一側が他側より更に内方に寄って設けられており、従って、係合したとき、テープ本体１に余剰部分１ａを生ずるように形成されているが、別段、余剰部分を作らず、図３のように左右両端より同じ距離をおいてホック２を設けることも何ら差し支えない。
【００１８】
また、上記テープにおいてアクセサリーとして高級感や楽しさを重視する一方、子供向けとしてテープの色彩とキャラクターデザインの組み合わせにより変化に富んだ展開を行うことも好ましく、図１，図３においては、これら図柄表示４として夫々、十字マーク，キャラクターデザインが付着されている。
【００１９】
特に、介護用とするときは、通常、名札等を必要とする要介護の高齢者であっても名札を身に付けることは抵抗感があると云われているが、さり気ないアセサリー感覚で携行品等への取り付けを可能として、抵抗感なく受け入れて貰えるようにする。
【００２０】
しかして本考案は上述の如きテープ構成において、更にテープ本体１の裏面に情報を記入するための記入枠３を設けている。
【００２１】
この情報記入枠３を具備せしめたことは本考案の特徴であり、これには名前，住所，電話，連絡先，血液型，常備薬など、種々の個人情報を随時、記入し得るようになっている。
【００２２】
この個人情報は、アクセサリーとして、あるいは子供用リュック，傘，ハンドバッグ，ゴルフバッグなど、種々の携行品に随時、取り付けることにより緊急時、（急病，事故）の個人情報伝達による適切な対応，物品遺失時への対応、迷子等への対応など、種々の対応に備えることができ、頗る効果的である。
【００２３】
しかし、一方において、名前，住所を隠すことにより誘拐等の危険を回避することも考慮しなければならず、従って、このような事態に対応して個人情報の全面的開示を隠蔽する手段を講ずることも留意することが好ましい。
【００２４】
かくして本考案テープは子供向けのお出かけ時に携行し、あるいは高齢者の介護用として高齢者が携行するなど、種々の用途に利用して効果を有している。
【図面の簡単な説明】
【００２５】
【図１】本考案テープの１例に係る使用状態を示しす斜視説明図である。
【図２】テープ本体の裏面概要図である。
【図３】本考案テープの他の実施例に係る使用状態斜視説明図である。
【符号の説明】
【００２６】
１：テープ本体
２：ホック
３：情報記入枠
４：図柄
【図１】
0003106167.tif 000003
【図２】
0003106167.tif 000004
【図３】
0003106167.tif 000005
【手続補正書】
【提出日】平成16年6月28日(2004.6.28)
【手続補正１】
【補正対象書類名】明細書
【補正対象項目名】０００３
【補正方法】変更
【補正の内容】
【０００３】
ところで、近時、テーピィスナッパー(登録商標)との名称でテープに直接、樹脂ホックを成形したもの(例えば特許文献１参照)が市販され、新規な各用途への進出が試みられている。